(57)【要約】      （修正有）【課題】選択的な電力の供給方式が得られ、電池交換の作業が容易で、かつ電池の使用量を軽減でき、摩擦によるノイズ、もしくはハウリングなどの発生を抑えることができ、はっきりとした、好ましい音声信号が得られる補聴器を提供する。【解決方法】一方の面に光透過エリア１１１を設け、他方の面に電池収納ボックスを設け、かつ上面に電池ボックスとパイロットランプ孔１２３と充電孔１２２とイヤホーン４０のホーンプラグ４１を挿入するホーンジャック１２１と複数のファンクションキーとを具えるハウジング１０と、該ハウジング内に設けられ、該電池ボックスに電気的に接続する制御回路を設けた回路ボードと、該制御回路に電気的に接続する太陽電池パネル２０と、マイクロフォンの集音機能素子とイヤホーンとを結合してなり、一端に該ハウジングに形成したホーンジャックに挿入するホーンプラグを有し、他端の音声出力端に耳栓カバーを設けたイヤホーンと、によって構成する。【選択図】図２
0003149295.tif 000002
【実用新案登録請求の範囲】
【請求項１】
ハウジングと、太陽電池パネルと、制御回路を設けた回路ボードと、マイクロフォン機能を有するイヤホーンとを含む補聴器であって、
該ハウジングは光透過エリアと、電池ボックスと、パイロットランプ孔と、充電孔と、該イヤホーンのホーンプラグを挿入するホーンジャックと、複数のファンクションキーを具え、
該太陽電池パネルは該光透過エリアに対応する位置に設けられ、かつ制御回路に電気的に接続し、該制御回路を設けた回路ボードと該太陽電池パネルとを該ハウジング内に設け、
該回路ボードに設けたそれぞれの電子素子は該ハウジングの外周面に形成したパイロットランプ孔と、充電孔と、ホーンジャックと、及び該ファンクションキーに対応した位置に設けられ、かつ該回路ボードに設けた該ハウジングの電池ボックスと該回路ボードの制御回路とを電気的に接続し、
該イヤホーンはマイクロフォンの集音機能素子とイヤホーンとを結合してなり、一端に該ハウジングに形成したホーンジャックに挿入するホーンプラグを有し、他端の音声出力端に耳栓カバーを設けることを特徴とする補聴器。
【請求項２】
前記ハウジングが、第１カバーパネルと、支持フレームと、第２カバーパネルとによって構成され、該光透過エリアを該第１カバーパネルに設け、該パイロットランプ孔と該充電孔とを該支持フレームの上面に穿設し、該第２カバーパネルに該電池ボックスを設け、かつ該電池ボックスに電池ボックスカバーを設けることを特徴とする請求項１に記載の補聴器。
【請求項３】
前記ファンクションキーが電源切換キーと、音量調整キーとを含み、該電源切換キーによって全音域モードか、ノイズ抑制モードの機能に切り換えられることを特徴とする請求項１に記載の補聴器。
【請求項４】
前記回路ボードの制御回路が集音する音域の範囲を微調整する音質調整器と、出力最大音量を制限する音圧出力制御器を含むことを特徴とする請求項１に記載の補聴器。
【請求項５】
前記ハウジングの外周面に、ストラップの固定に供する釣止部を設けることを特徴とする請求項１に記載の補聴器。
【考案の詳細な説明】
【技術分野】
【０００１】
この考案は、補聴器に関し、特に電力供給方式を選択することができ、ユーザーにとって外出時などに便利な補聴器に関する。
【背景技術】
【０００２】
補聴器は、聴力に障害のある人にとって最大の福音といえる。しかも、聴力障害の種類と程度に合せた各種機能を提供することによって、ユーザー個人の異なるニーズに対応できるようになっている。目下の技術から言えば、補聴器の機能はプログラム化され、微小な音声の変化すら自動的に反応して音声信号を出力し、はっきりとした、聞き取りやすい音声を提供して音声による理解能力に貢献することが可能になった。
【０００３】
しかしながら、従来の多くの補聴器は、本体構造の設計において、調整機能が不足している。このため入力する音域が狭い。しかも、電池を電源とし、ほとんどが一次電池を採用している。このため、電力が不足して電池を交換する場合、ユーザーは体積が極めて小さく巧緻に製造された本体のハウジングを開けて、電力が消耗した水銀電池を取り出して新しい水銀電池を入れなければならない。だが、高齢者が補聴器のユーザー層の大部分を占めるという現状に鑑みれば、常に電池を交換する作業は、極めて不便であり、ユーザーの負担になる。
【０００４】
従来の補聴器の欠点をまとめると、次の点が挙げられる。
１、補聴器の部品が微小であって、視力が弱いユーザーにとって部品の位置を合せることが難しく、手が震えて交換する部品をしっかり持つことができなることもある。
２、補聴器の電池のサイズが極めて小さく、正、負極の見分けがつきにくい。このため電池を交換する場合、上下面を逆にして入れる場合がある。この場合、電池カバーが引っかかった状態になり、そのまま電池カバーを押し圧すると電池カバーの係合構造部が破壊され、電池を固定することができなくなり、破損する。よって、補聴器の使用寿命を短くする主要な原因となる。
３、一般に補聴器に使用される電池は、体積が微小であり、補聴器を使用する一日の時間を６時間とした場合、五日間で電力が消耗する。一日８時間とした場合は３，７５日で電池一つ消耗することになる。即ち、一年で約１００個の電池を使用することになり、電池の単価の百倍という費用が発生する。したがって、代価という点についてのみ論じてみても、経済的原則に極めてそぐわない。
４、上述するように、従来の補聴器は一年に約１００個の電池を消耗する。このような大量の使用済み電池は、回収が十分に行われなかった場合、深刻な環境汚染の問題を招く。
５、従来の補聴器は、使用中に電力を消耗して交換しようとした場合、十分な光線が得られる明るい場所で行わなければならない。よって、例えば映画館、夜間戸外にいる場合、夜間自動車の中にいる場合などの情況においては、十分な光線を得て電池交換の作業を行うことができないため、極めて不便であるのみならず、電池を交換することができなければ聴力が暫時的に障害の制限を受ける。よって、理想的とは言えない。
【考案の開示】
【考案が解決しようとする課題】
【０００５】
この考案は、選択的な電力の供給方式が得られ、電池交換の作業が容易で、かつ電池の使用量を軽減できる補聴器を提供することを課題とする。
【０００６】
また、この考案は使用する環境、個人のニーズに合せて集音モードを調整でき、はっきりと聞きとりやすい音声信号が得られる補聴器を提供することを課題とする。
【課題を解決するための手段】
【０００７】
そこで、本考案者は従来の補聴器に見られる欠点に鑑み鋭意研究を重ねた結果、一方の面に光透過エリアを設け、他方の面に電池収納ボックスを設け、かつ上面に電池ボックスとパイロットランプ孔と充電孔と該イヤホーンのホーンプラグを挿入するホーンジャックと複数のファンクションキーとを具えるハウジングと、
該ハウジング内に設けられ、該電池ボックスに電気的に接続する制御回路を設けた回路ボードと、
該制御回路に電気的に接続する太陽電池パネルと、
マイクロフォンの集音機能素子とイヤホーンとを結合してなり、一端に該ハウジングに形成したホーンジャックに挿入するホーンプラグを有し、他端の音声出力端に耳栓カバーを設けたイヤホーンと、を含んでなる補聴器によって課題を解決できる点に着眼し、かかる知見に基づいて本考案を完成させた。
【０００８】
以下、この考案について具体的に説明する。
請求項１に記載する太陽電池を具える補聴器は、ハウジングと、太陽電池パネルと、制御回路を設けた回路ボードと、マイクロフォン機能を有するイヤホーンとを含む補聴器であって、
該ハウジングは光透過エリアと、電池ボックスと、パイロットランプ孔と、充電孔と、該イヤホーンのホーンプラグを挿入するホーンジャックと、複数のファンクションキーを具え、
該太陽電池パネルは該光透過エリアに対応する位置に設けられ、かつ制御回路に電気的に接続し、該制御回路を設けた回路ボードと該太陽電池パネルとを該ハウジング内に設け、
該回路ボードに設けたそれぞれの電子素子は該ハウジングの外周面に形成したパイロットランプ孔と、充電孔と、ホーンジャックと、及び該ファンクションキーに対応した位置に設けられ、かつ該回路ボードに設けた該ハウジングの電池ボックスと該回路ボードの制御回路とを電気的に接続し、
該イヤホーンはマイクロフォンの集音機能素子とイヤホーンとを結合してなり、一端に該ハウジングに形成したホーンジャックに挿入するホーンプラグを有し、他端の音声出力端に耳栓カバーを設ける。
【０００９】
請求項２に記載する太陽電池を具える補聴器は、請求項１における記ハウジングが、第１カバーパネルと、支持フレームと、第２カバーパネルとによって構成され、該光透過エリアを該第１カバーパネルに設け、該パイロットランプ孔と該充電孔とを該支持フレームの上面に穿設し、該第２カバーパネルに該電池ボックスを設け、かつ該電池ボックスに電池ボックスカバーを着脱自在に設ける。
【００１０】
請求項３に記載する太陽電池を具える補聴器は、請求項１におけるファンクションキーが電源切換キーと、音量調整キーとを含み、該電源切換キーによって全音域モードか、ノイズ抑制モードの機能に切り換えられる。
【００１１】
請求項４に記載する太陽電池を具える補聴器は、請求項１における記回路ボードの制御回路が集音する音域の範囲を微調整する音質調整器と出力最大音量を制限する音圧出力制御器を含む。
【００１２】
請求項５に記載する太陽電池を具える補聴器は、請求項１における記ハウジングの外周面に、ストラップの固定に供する釣止部を設ける。
【考案の効果】
【００１３】
この考案によれば、選択的な電力の供給方式が得られ、電池交換の作業が容易で、かつ電池の使用量を軽減できるため、従来の補聴器に見られる電池交換の面倒さを解消することができ、利便性を高めるとともに、
電池の費用を大幅に軽減することきることから、高い経済性が得られるという効果を有する。
【００１４】
また、この考案によれば、使用する環境、個人のニーズに合せて集音モードを調整でき、はっきりと聞きとりやすい音声信号が得られ、従来の補聴器に見られるような摩擦によるノイズ、もしくはハウリングなどの発生を抑えることができるという効果を有する。
【考案を実施するための最良の形態】
【００１５】
この考案は選択的な電力の供給方式が得られ、電池交換の作業が容易で、かつ電池の使用量を軽減できるとともに、摩擦によるノイズ、もしくはハウリングなどの発生を抑えることができ、はっきりとした、好ましい音声信号が得られる補聴器を提供することを目的とし、一方の面に光透過エリアを設け、他方の面に電池収納ボックスを設け、かつ上面に電池ボックスとパイロットランプ孔と充電孔と該イヤホーンのホーンプラグを挿入するホーンジャックと複数のファンクションキーとを具えるハウジングと、
該ハウジング内に設けられ、該電池ボックスに電気的に接続する制御回路を設けた回路ボードと、
該制御回路に電気的に接続する太陽電池パネルと、
マイクロフォンの集音機能素子とイヤホーンとを結合してなり、一端に該ハウジングに形成したホーンジャックに挿入するホーンプラグを有し、他端の音声出力端に耳栓カバーを設けたイヤホーンと、によって構成する。
かかる構成の補聴器について、その構造と特徴を説明するために、具体的な実施例を挙げ、図面を参照にして以下に説明する。
【実施例】
【００１６】
図１、２に開示するように、この考案による補聴器は、ハウジング１０と、太陽電池パネル２０と、回路ボード３０とを含んでなる。
【００１７】
ハウジング１０は第１カバーパネル１１と、支持フレーム１２と、第２カバーパネル１３とによって構成し、太陽電池パネル２０と、太陽電池パネル２０が電気的に接続する制御回路を設けた回路ボード３０を内設する。
【００１８】
第１カバーパネル２０の太陽電池パネル２０に対応する位置には光透過エリア１１１を設け、支持フレーム１２の上面にはイヤホーンのホーンプラグを挿入するホーンジャック１２１と、充電孔１２２と、パイロットランプ孔１２３と、釣止部１２４とを具え、かつ支持フレーム１２の両側面には複数のファクションキーを設ける。実施例によれば、電源切換キー１４と、音量調整キー１５とを設ける。
【００１９】
ホーンジャック１２１と、充電孔１２２と、パイロットランプ孔１２３と、及び電源切換キー１４と、音量調整キー１５とは、回路ボード３０上に設けられたそれぞれの電子素子などに対応して設けられる。即ち、ホーンジャック１２１は、ホーンジャック座３１に対応し、充電孔１２２は充電ソケット３２に対応し、パイロットランプ孔１２３はパイロットランプ３３に対応する。パイロットランプは、例えばＬＥＤを用いる。また、電源切換キー１４は切換スイッチ３４に対応し、音量調整キー１５は音量制御器３５に対応する。音量制御器３５は、例えば可変抵抗を用いる。
【００２０】
第２カバーパネル１３３には、電池１６を収納する電池ボックス１３１を設け、かつ回路ボード３０に設けた制御回路に電気的に接続して、収納した電池１６から電力を供給する。また、電池ボックス１３１には、電池ボックス１３１に係止する電池ボックスカバー１７を着脱自在に設ける。また、電池ボックス１３１の上端縁部には二つの長孔１３２、１３３を穿設し、かつ回路ボード３０上の二つの長孔１３２、１３３に対応する位置に音質調整器３６と音圧出力制限器３７を設ける。また、図４に開示するように、音質調整器３６と音圧出力制限器３７は、長孔１３２から凸出する調整スティック部を具え、かつ該調整スティック部は電池ボックス１３１に電池ボックスカバー１７を係止させた場合、
電池ボックスカバー１７によって覆われる。
【００２１】
図２、３に開示するように、この考案においては、人体工学に基づき、耳殻の形状に合せたイヤホーン４０を採用する、イヤホーン４０じゃマイクロフォンの機能を具える。また、イヤホーン４０のホーンプラグ４１を補聴器のホーンジャック１２１に挿入して使用する。
【００２２】
イヤホーン４０は、上述するようにマイクロフォンの機能を具える。即ち、マイクロフォンの集音機能素子とイヤホーンとを結合したものである。また、イヤホーン４０の音声出力端には耳栓カバー４２を設ける。
【００２３】
また、ハウジング１０の上面に設けた釣止部１２４にストラップ５０の一端を固定することによって、本考案による補聴器を使用者の首に掛けることができる。
【００２４】
図２、４に開示するように、この考案による補聴器は、外部の音声をトランジスタ回路によって増幅する。また、外部接続のマイクロフォン型のイヤホーン４０を利用して、人体の耳に近い位置で集音して音声信号を制御回路に送信し、音声処理を行う。さらに、イヤホーン４０によって出力する。よって、音場が正確になり、好ましい音質が得られ、さらには人体の耳で得た音響効果に近い効果が得られるという特徴を有する。
【００２５】
従来の補聴器は、一般に集音用のマイクロフォンをイヤホーンの音声出力端から離れた一端の補聴器本体側に設ける、このため、マイクロフォンが集音する場合、誤って摩擦によるノイズが集音される可能性がある。しかも、一般の補聴器の周波数は音声周波数が８０〜９０ｄＢであって、甚だしくは１００ｄＢを超えるものもある。よって、使用時に肺イヤホーンとマイクロフォンとの共振によってハウリングが発生するという欠点を有する。しかしながら、本考案においてはイヤホーンとマイクロフォンとを一体にすることによって、共振、もしくは摩擦によるノイズが発生するという欠点を改善することができる。
【００２６】
この考案による補聴器を使用する場合は、使用する場所の条件に合せて適度な調整を行い、使用者のニーズに適うようにすることができる。図４に開示するように、電源切換キー１４は、電源切断、全音域、ノイズ抑制の三段モードに切換えできるようにする。よって、例えば公園など戸外で使用する場合、電源切換キー１４を全音域モードに切り替えることによって鳥の鳴き声、虫の音、風の音、梢のざわめきなどが集音でき、人体の耳で直接聞いたような音声が得られる。即ち、広域で自然に近い音声が得られる。
【００２７】
また、ユーザーが人と話す場合、講演を聞く場合、もしくはテレビを見るなど室内で使用する場合、または鉄工所、自動車修理工場の近くなど騒音の高い環境で使用する場合、電源切換キー１４をノイズ抑制モードに切換えることによって、補聴器は設定された音域の音声のみを受信し、設定以外の音域の騒音は抑制される。このため使用者は音声をはっきりと聞くことができる。
【００２８】
また、補聴器の側面の音量調整キー１５を操作することによって、音量の大きさを調整することができる（図２参照）。
【００２９】
さらに、電池ボックス１３１には電池ボックスカバー１７に覆われる音質調整器３６と音圧出力制限器３７を設ける。音質調整器３６によって、電源切換キー１４のノイズ抑制モードにおける音域の範囲を微調整することができる。また、音圧出力制御器３７によって出力最大音量を制限することができる（図４参照）。
【００３０】
図５に開示するように、この考案による補聴器に用いる電力は、電池ボックス１３１に収納する電池１６から提供される。電池ボックス１３１に収納する電池が二次電池であって、該二次電池に充電する場合、この考案においては交流電力を直流電流に変換する整流器６０を設ける。整流器６０の出力端のプラグ６１を充電孔１２２に差込み、家庭用の交流電力を変圧し、直流電力に変換して二次電池である電池１６の充電に供する。
【００３１】
また、この考案においては、光透過エリア１１１内の太陽電池パネル２０を利用して太陽エネルギーを電気エネルギーに変換して電池ボックス１３１に収納した二次電池である電池１６に電気エネルギーを補充することができる。したがって、戸外で長時間活動する場合で、交流電源が得られない情況にあって、電気エネルギー補充の効果が得られる。
【００３２】
また、この考案においては、一般の商店で販売している一次電池を使用することもできる。よって、使用上実用的で、利便性を具える。
【００３３】
以上はこの考案の好ましい実施の形態であって、この考案の実施の範囲を限定するものではない。よって、当業者のなしえる修正、もしくは変更であって、この考案の精神の下においてなされ、この考案に対して均等の効果を有するものは、いずれもこの考案の実用新案登録の範囲に含まれるものとする。
【図面の簡単な説明】
【００３４】
【図１】この考案による補聴器の分解図である。
【図２】図１に開示する補聴器の外観を示した斜視図である。
【図３】図１に開示する補聴器の使用態様を示した説明図である。
【図４】図１に開示する補聴器における各種調整の操作を示した説明図である。
【図５】交流電力を供給して充電する場合の使用態様を示した説明図である。
【符号の説明】
【００３５】
１０     ハウジング
１１     第１カバーパネル
１１１    光透過エリア
１２     支持フレーム
１２１    ホーンジャック
１２２    充電孔
１２３    パイロットランプ孔
１２４    釣支部
１３     第２カバーパネル
１３１    電池ボックス
１３２    長孔
１３３    長孔
１４     電源切換キー
１５     音量調整キー
１６     電池
１７     電池カバーボックス
２０     太陽電池パネル
３０     制御回路簿ボード
３１     ホーンジャック座
３２     充電ソケット
３３     パイロットランプ
３４     切換スイッチ
３５     音量制御器
３６     音質調整器
３７     音圧出力制限器
４０     イヤホーン
４１     ホーンプラグ
４２     耳栓カバー
５０     ストラップ
６０     整流器
【図１】
0003149295.tif 000003
【図２】
0003149295.tif 000004
【図３】
0003149295.tif 000005
【図４】
0003149295.tif 000006
【図５】
0003149295.tif 000007